(57)【特許請求の範囲】
【請求項１】
リール本体に回転可能に設けられたハンドル軸に連結されるアーム部と、前記アーム部の端部に取り付けられたハンドルノブと、を備えた魚釣用リールのハンドルであって、
前記ハンドルノブは、少なくとも一部が軟質部材で形成され、前記軟質部材で形成された部分に、釣針が挿通保持される貫通孔が設けられており、
前記貫通孔は、前記貫通孔の開口に向けて広がっていることを特徴とする魚釣用リールのハンドル。
【請求項２】
前記ハンドルノブは、扁平状とされた部分を有しており、
前記貫通孔は、前記扁平状とされた部分に設けられていることを特徴とする請求項１に記載の魚釣用リールのハンドル。
【請求項３】
前記ハンドルノブには、凹状部が形成されており、
前記貫通孔は、前記凹状部に設けられていることを特徴とする請求項１または請求項２に記載の魚釣用リールのハンドル。
【請求項４】
魚釣用リールのハンドルのアーム部に取り付けられ、少なくとも一部が軟質部材で形成されたハンドルノブであって、
前記軟質部材で形成された部分には、釣針が挿通保持される貫通孔が設けられており、前記貫通孔は、前記貫通孔の開口に向けて広がっていることを特徴とするハンドルノブ。
【発明の詳細な説明】
【技術分野】
【０００１】
本発明は、魚釣用リールのハンドルおよびハンドルノブに関する。
【背景技術】
【０００２】
一般に、魚釣りにおいて、対象魚の種類や釣法によっては、釣り場を移動しながら（ポイントを探しながら）釣りをすることがある。このような釣りでは、移動のたびに仕掛けを取り外すのは面倒であるため、仕掛けを取り外さずに移動する場合がある。しかし、仕掛けが竿先から垂れ下がっている状態では、移動中に仕掛けがブラブラして竿に巻き付いたり、衣服に釣針が引っかかったりする等、竿や仕掛けの取り扱いが煩わしいことがある。
【０００３】
このような煩わしさを解決するものとして、特許文献１に開示されているように、釣針を係止するための専用のフックを魚釣用リールに取り付けたものが知られている。
この魚釣用リールによれば、釣針をフックに係止することで竿先から垂れ下がった仕掛けを留めておくことができる。
【０００４】
なお、実釣時には、魚釣用リールに備わるベールや釣糸のガイド等を利用して釣針を係止させることも行われているが、ベールや釣糸のガイド等が傷つくことがあるため好ましくない。
【０００５】
一方、魚釣用リールの構成部品であるハンドルノブに穴を形成したものが知られている（例えば特許文献２，３参照）。
【先行技術文献】
【特許文献】
【０００６】
【特許文献１】特開２０１０−１７２２９８号公報
【特許文献２】特開２００１−２６９０９６号公報
【特許文献３】特開２００４−２３６５４１号公報
【発明の概要】
【発明が解決しようとする課題】
【０００７】
しかしながら、特許文献１では、釣針の係止にフックが必要となるため部品数が増加し、コスト高となる問題がある。また、フックを後付けのオプション部品として取り付けるようにしても、これを購入するユーザーに金銭的な負担をかけてしまう。
また、フックはリール本体の側面に突出するものであるため、不使用時には邪魔になることもある。
【０００８】
また、特許文献２，３には、ハンドルノブに穴が形成されているものの、穴に釣針を係止するような思想はない。なお、特許文献２，３において、ハンドルノブの穴に釣針を強引にかけようとしても挿入しづらく、また、ハンドルノブの有する構造や構成材料からして、針先が傷付いてしまう。
【０００９】
本発明は、前記問題を解決するためになされたものであり、釣針をかけることができる魚釣用リールのハンドルおよびハンドルノブにおいて、コストが嵩むことなく、釣針のかけ易さに優れ、かける際に針先が傷みにくい魚釣用リールのハンドルおよびハンドルノブを提供することを課題とする。
【課題を解決するための手段】
【００１０】
このような課題を解決する本発明の魚釣用リールのハンドルは、リール本体に回転可能に設けられたハンドル軸に連結されるアーム部と、前記アーム部の端部に取り付けられたハンドルノブと、を備えた魚釣用リールのハンドルであって、前記ハンドルノブは、少なくとも一部が軟質部材で形成され、前記軟質部材で形成された部分に、釣針が挿通保持される貫通孔が設けられており、前記貫通孔は、前記貫通孔の開口に向けて広がっていることを特徴とする。
【００１１】
この魚釣用リールのハンドルによれば、ハンドルノブに設けられた貫通孔に釣針をかけることができ、釣り場の移動中に竿先から垂れ下がった仕掛けを留めておくことができる。貫通孔に釣針をかける際には、広がっている開口を通じて針先を挿入することができる。
また、貫通孔は軟質部材で形成された部分に設けられているので、貫通孔に釣針をかける際や貫通孔から釣針を外す際に、釣針の当接を緩衝することができる。
【００１２】
また、本発明は、前記ハンドルノブは、扁平状とされた部分を有しており、前記貫通孔は、前記扁平状とされた部分に設けられていることを特徴とする。
【００１３】
この魚釣用リールのハンドルによれば、扁平状である分、他の部分に設けられた場合に比べて貫通孔の長さが短くなる。
【００１４】
また、本発明は、前記ハンドルノブに、凹状部が形成されており、前記貫通孔は、前記凹状部に設けられていることを特徴とする。
【００１５】
この魚釣用リールのハンドルによれば、凹状部である分、他の部分に設けられた場合に比べて貫通孔の長さが短くなる。
また、凹状部を形成する内面に沿わせるようにして針先を貫通孔に挿入することもできる。
【００１６】
また、本発明のハンドルノブは、魚釣用リールのハンドルのアーム部に取り付けられ、少なくとも一部が軟質部材で形成されたハンドルノブであって、前記軟質部材で形成された部分には、釣針が挿通保持される貫通孔が設けられており、前記貫通孔は、前記貫通孔の開口に向けて広がっていることを特徴とする。
【００１７】
このハンドルノブによれば、貫通孔に釣針をかけることができ、釣り場の移動中に竿先から垂れ下がった仕掛けを留めておくことができる。貫通孔に釣針をかける際には、広がっている開口を通じて針先を挿入することができる。
また、貫通孔は軟質部材で形成された部分に設けられているので、貫通孔に釣針をかける際や貫通孔から釣針を外す際に、釣針の当接を緩衝することができる。
【発明の効果】
【００１８】
本発明の魚釣用リールのハンドルおよびハンドルノブによれば、貫通孔に釣針をかける際に、広がっている開口を通じて針先を挿入することができるので、針先を挿入し易く、釣針をかけ易い。
軟質部材により釣針の当接を緩衝することができるので、貫通孔に釣針をかける際や貫通孔から釣針を外す際に、針先が当接したりこすれたりしても針先が傷つきにくい。
また、ハンドルノブに貫通孔を形成するだけで釣針をかけることができるので、コストが嵩むこともない。
また、貫通孔であるので、フック部を設けたときのようにハンドルノブから突出することもなく、邪魔にならない。
【００１９】
また、貫通孔が扁平状とされた部分に設けられている構成では、扁平状である分、他の部分に設けられた場合に比べて貫通孔の長さが短くなるので、貫通孔に釣針をかける際や貫通孔から釣針を外す際の操作が行い易い。また、貫通孔の長さが短くなるので、釣針をかける際や外す際に、貫通孔の内面に針先が当接したりこすれたりする頻度が少なくなる。したがって、針先がより一層傷つきにくい。
【００２０】
また、貫通孔が凹状部に設けられている構成においても、凹状である分、他の部分に設けられた場合に比べて貫通孔の長さが短くなるので、貫通孔に釣針をかける際や貫通孔から釣針を外す際の操作が行い易い。また、貫通孔の長さが短くなるので、釣針をかける際や外す際に、貫通孔の内面に針先が当接したりこすれたりする頻度が少なくなる。したがって、針先がより一層傷つきにくい。
また、凹状部を形成する内面に沿わせるようにして針先を貫通孔に挿入することができるので、貫通孔に針先が導かれ易くなり、針先を挿入しやすい。特に、夜間等の釣行において手元が見えにくい場合でも、貫通孔に針先を好適に挿入することができる。
【図面の簡単な説明】
【００２１】
【図１】本発明の第１実施形態に係る魚釣用リールのハンドルおよびハンドルノブが適用される魚釣用リールを示した側面図である。
【図２】ハンドルノブを示した拡大図であり、（ａ）は平面図、（ｂ）は図２（ａ）におけるＡ−Ａ線断面図、（ｃ）は釣針を挿通した状態の断面図である。
【図３】変形例のハンドルノブを示した拡大断面図である。
【図４】（ａ）は本発明の第２実施形態のハンドルノブを示した拡大断面図、（ｂ）は変形例を示す拡大断面図、（ｃ）は本発明の第３実施形態のハンドルノブを示した拡大断面図である。
【図５】本発明の第４実施形態のハンドルノブを示した拡大図であり、（ａ）は平面図、（ｂ）は図５（ａ）におけるＢ−Ｂ線断面図である。
【図６】本発明の第５実施形態のハンドルノブを示した拡大図であり、（ａ）は平面図、（ｂ）は図６（ａ）のＣ−Ｃ線断面図である。
【図７】本発明の第６実施形態のハンドルノブを示した図であり、（ａ）は平面図、（ｂ）は図７（ａ）のＤ−Ｄ線断面図、（ｃ）は変形例の断面図である。
【発明を実施するための形態】
【００２２】
以下、本発明の実施形態について図面を参照しながら説明する。なお、以下の説明において、「前後」「左右」「上下」を言うときは、図１，２（ａ）（ｂ）に示した方向を基準とする。なお、説明において、同一の要素には同一の符号を用い、重複する説明は省略する。また、魚釣用リールとして魚釣用スピニングリールに適用した例を示すが、適用される魚釣用リールを限定する趣旨ではなく、両軸型の魚釣用リール等にも適用することができる。
【００２３】
（第１実施形態）
図１に示すように、主として、魚釣用スピニングリールは、図示しない釣竿に装着するための脚部１Ａが形成されたリール本体１と、リール本体１の前方に回転可能に設けられたロータ２と、このロータ２の回転運動と同期して前後方向移動可能に設けられたスプール６と、巻取操作されるハンドル７とを有して構成される。
【００２４】
ロータ２の基部には、一対のロータ腕部３（一方のみ図示）が一体に設けられている。ロータ腕部３の先端には、ラインローラ４ａを支持するベールアーム４とラインスライダ４ｂとからなるベール支持部材が釣糸巻取位置と釣糸放出位置との間で反転自在に取り付けられている。また、他方のロータ腕部３には、図示しないベールホルダが同様に釣糸巻取位置と釣糸放出位置との間で反転自在に取り付けられている。ラインスライダ４ｂとベールホルダとの間には、ベール５が架け渡されている。
【００２５】
スプール６は、リール本体１の前後方向へ往復動可能に取り付けられた図示しないスプール軸に支持されている。
そして、釣糸巻取時にベール５を釣糸巻取位置へ倒してハンドル７を回転操作すると、ロータ２が釣糸巻取方向へ回転するとともに前後方向にスプール６が往復動し、スプール６に対して釣糸が巻回される。
また、ベール５を釣糸放出位置へ反転させることで、図示しない仕掛けの投擲が可能となる。
【００２６】
ハンドル７は、図２（ａ）に示すように、アーム部８と、アーム部８の端部８ａに止着された支軸９と、支軸９に回転自在に取り付けられたハンドルノブ１０とを備えて構成されている。釣糸巻取時には、ハンドルノブ１０を指で挟持してハンドル７を回転操作する。
【００２７】
支軸９は、その基端部がアーム部８の端部８ａに設けられた図示しない透孔に挿入または圧入されて止着されている。これにより、支軸９は、アーム部８の側方へ向けて回転不能に突設されている。
【００２８】
ハンドルノブ１０は、図示しない軸受を介して支軸９に挿通支持されている。なお、ハンドルノブ１０は、支軸９の突出端に図示しないねじを螺合すること等により、支軸９に抜け止め保持されている。
【００２９】
ハンドルノブ１０は、図２（ｂ）に示すように、上面１０ａと下面１０ｂとの対向する二面間の厚みが薄く形成されており、指（例えば親指と人指し指）で摘み易い扁平状とされている。本実施形態では、ハンドルノブ１０の全体が扁平状となっている。
ハンドルノブ１０は、全体が軟質部材で形成されている。なお、軟質部材の定義であるが、アルミ合金より硬度が低く（ＨＲＢ４０未満）、かつ、弾性率が低い（７０ＧＰａ未満）材料なら何でもよく、ＡＢＳ樹脂、ＰＣ樹脂、ＰＯＭ樹脂、ナイロン樹脂、等の樹脂材料がよく、さらに、硬度の低い、例えば、ウレタンや軟質塩化ビニル（ＰＶＣ）等の軟質樹脂、コルク材、ゴム材等で形成してもよい。
【００３０】
ハンドルノブ１０には、扁平面とされた上面１０ａと下面１０ｂとの二面を貫通するように（対向する二面の扁平面（上面１０ａ，下面１０ｂ）の一面から他面に貫通するように）、貫通孔１１が形成されている。この貫通孔１１は、後記するように、釣針２０（図２（ｃ）参照）を係止して留めおくことのできる針かけとして機能する。
貫通孔１１は、図２（ｂ）に示すように、貫通孔１１の内方から開口１１ａ，１１ｂに向けてそれぞれ湾曲状（ラッパ状）に広がっている。つまり、貫通孔１１は、貫通孔１１の軸方向中央部分１１ｅを最小径部として、開口１１ａ，１１ｂに向けて拡径している。
なお、開口１１ａは、図２（ａ）に示すように、平面視で、左右方向が長軸となる略楕円形とされている。
【００３１】
貫通孔１１は、図２（ｂ）に示すように、Ａ−Ａ断面において、支軸９に近い側の内面１１ｃの曲率半径が支軸から遠い側の内面１１ｄの曲率半径よりも大きくなっている。つまり、内面１１ｄは、内面１１ｃよりも湾曲しており、図２（ｃ）に示すように、釣針２０のフトコロの湾曲状部２２に略対応した形状となっている。
なお、内面１１ｃおよび内面１１ｄの曲率半径は、同じに設定してもよい。
【００３２】
このような貫通孔１１に対して、図２（ｃ）に示すように、釣針２０を通してかけることができる。
釣針２０を貫通孔１１にかける際には、例えば一方の開口１１ａから針先２１を貫通孔１１内に挿入し、針先２１を貫通孔１１に挿通させて他方の開口１１ｂから針先２１を抜き出す。これにより、釣針２０の湾曲状部２２が貫通孔１１内に位置して、貫通孔１１に釣針２０をかけることができる。
【００３３】
本実施形態によれば、貫通孔１１に釣針２０をかける際に、広がっている開口１１ａ（または開口１１ｂ）を通じて針先２１を挿入することができるので、針先２１を挿入し易く、釣針２０をかけ易い。
また、ハンドルノブ１０は、軟質部材により形成されており、貫通孔１１内において釣針２０の当接を緩衝することができるので、貫通孔１１に釣針２０をかける際や貫通孔１１から釣針２０を外す際に、針先２１が当接したりこすれたりしても針先２１が傷つきにくい。
【００３４】
また、ハンドルノブ１０に貫通孔１１を形成するだけで釣針２０をかけることができるので、コストが嵩むこともなく、ハンドルノブ１０から突出する構造でもないので、不使用時に邪魔になることもない。
【００３５】
また、ハンドルノブ１０が扁平状であり、貫通孔１１が上面１０ａから下面１０ｂに（肉薄方向に（短手方向））貫通しているので、肉厚方向に貫通している場合に比べて貫通孔１１の長さが短くなるので、貫通孔１１に釣針２０をかける際や外す際の操作が行い易い。また、貫通孔１１の長さが短くなるので、釣針２０をかける際や外す際に、貫通孔１１の内面１１ｃ，１１ｄに針先２１が当接したりこすれたりする頻度が少なくなる。したがって、針先２１がより一層傷つきにくい。また、貫通孔１１の長さが短くなるので、より小さい釣針２０をかけることも可能となる。
【００３６】
なお、貫通孔１１の軸方向中央部分１１ｅが最小径部となっているので、この狭まった部分により釣針２０の湾曲状部２２が貫通孔１１内において前後方向に振れるのを好適に抑えることができる。したがって、釣針２０の保持性が高まる。
【００３７】
なお、図３に示すように、貫通孔１１は、一方の内面１１ｃを開口１１ａに向けてさらに広がるように形成してもよい。
このような貫通孔１１とすることにより、針先２１の挿入し易さが向上する。なお、内面１１ｄ側を開口１１ａに向けてさらに広がるように形成してもよい。
また、反対側の開口１１ｂにおいて、内面１１ｃや内面１１ｄを開口１１ｂに向けて広がるように形成してもよい。
【００３８】
（第２実施形態）
図４（ａ）を参照して本発明の第２実施形態について説明する。
本実施形態では、貫通孔１２の内面１２ｃ，１２ｄが断面直線状（図２（ａ）のＡ−Ａ断面に相当する断面において直線状）となっている。つまり、貫通孔１２は、軸方向中央部分１２ｅを最小径部として、開口１２ａ，１２ｂに向けて凹凸のない略漏斗状の傾斜面（内面１２ｃ，１２ｄ）を有して形成されている。
【００３９】
本実施形態によれば、前記第１実施形態で説明した作用効果に加えて、内面１２ｃ，１２ｄが断面直線状となっているので、釣針２０をかける際に、針先２１を内面１２ｃや内面１２ｄに沿ってスムーズに挿入することができ、挿入操作が行い易い。
【００４０】
また、軸方向中央部分１２ｅは、貫通孔１２の内空へ向けて角形に突出しているので、例えば、この部分に釣針２０の湾曲状部２２（図２（ｃ）参照、以下同じ）を部分的に当接させて保持することも可能である。この場合には、釣針２０が貫通孔１２に対して部分的に当接する（点接触となって抵抗が少ない）ので、釣針２０をかける際や外す際の着脱性がよく、操作が行い易い。
【００４１】
また、内面１２ｃ，１２ｄが断面直線状となっているので、貫通孔１２の成形が容易であり、コストを低減することが可能である。
【００４２】
なお、貫通孔１２は、内面１２ｃや内面１２ｄを開口１２ａ，１２ｂに向けてさらに広がるように形成してもよい。
【００４３】
また、図４（ｂ）に示すように、軸方向中央部分１３を軸方向に筒状に延設した形状としてもよい。このように形成することによって、軸方向中央部分１３で釣針２０の湾曲状部２２を好適に保持することができ、貫通孔１２内における釣針２０の振れを抑制することができる。
【００４４】
（第３実施形態）
図４（ｃ）を参照して本発明の第３実施形態について説明する。
本実施形態では、ハンドルノブ１０が金属製であり、ハンドルノブ１０に形成された縦孔１４に貫通孔１５Ａが設けられた軟質部材１５が取り付けられている。
ハンドルノブ１０は、アルミ合金、マグネシウム合金等の軽金属から形成されている。縦孔１４は、上面１０ａから下面１０ｂに貫通する筒状の内面１４ｃを有する孔であり、中央部１４ｄが縦孔１４の内空に向けてフランジ状に突出している。
【００４５】
軟質部材１５は、例えば、ウレタンや軟質塩化ビニル（ＰＶＣ）等の軟質樹脂、コルク材、ゴム材等で筒状に形成され、内側に貫通孔１５Ａを有している。
なお、軟質部材１５は、アルミ合金やマグネシウム合金等の軽金属より硬度が低く（ＨＲＢ４０未満）、かつ、弾性率が低い（７０ＧＰａ未満）材料でもよく、例えば、ＡＢＳ樹脂、ＰＣ樹脂、ＰＯＭ樹脂、ナイロン樹脂、等の樹脂材料を採用してもよい。
軟質部材１５の外周面１５ｃは、縦孔１４の内面１４ｃに内嵌可能であり、外周面１５ｃに連続して形成された周溝１５ｄは、縦孔１４の中央部１４ｄに内嵌可能である。なお、軟質部材１５は、縦孔１４に接着材等を用いて固定することができる。
【００４６】
軟質部材１５は、その内面１５ｆ，１５ｇが内方から開口１５ａ，１５ｂに向けてそれぞれ湾曲状（ラッパ状）に広がっている。つまり、軸方向中央部分１５ｅを最小径部として、開口１５ａ，１５ｂに向けて拡径している。内面１５ｆの曲率半径は、内面１５ｇの曲率半径よりも大きくなっている。つまり、内面１５ｇは、内面１５ｆよりも湾曲しており、釣針２０のフトコロの湾曲状部２２（図２（ｃ）参照）に略対応した形状となっている。
なお、内面１５ｆおよび内面１５ｇの曲率半径は、同じに設定してもよい。
このような軟質部材１５の貫通孔１５Ａに対して、釣針２０を通してかけることができる。
【００４７】
本実施形態によれば、前記第１実施形態で説明した作用効果に加えて、ハンドルノブ１０が金属製であるので、剛性に優れ、釣針２０の保持性が高まる。
また、ハンドルノブ１０に金属材料を用いた場合には、軟質部材１５としてより軟質な材料を用いても、ハンドル操作中に変形し過ぎることがない。
また、軟質部材１５を縦孔１４から剥離して、部品単体で交換することも可能である。
【００４８】
なお、ハンドルノブ１０は、木製やプラスチック製としてもよい。また、一体成形によって貫通孔１５Ａに軟質部材１５を形成することも可能である。
【００４９】
（第４実施形態）
図５を参照して本発明の第４実施形態について説明する。
本実施形態では、貫通孔１６の内面１６ｃが開口１６ａから開口１６ｂに亘って断面直線状となっている。
なお、内面１６ｄは、軸方向中央部１６ｅから開口１６ａ，１６ｂに向けて広がるように形成されている。
【００５０】
本実施形態によれば、前記第１実施形態で説明した作用効果に加えて、内面１６ｃが前記した断面直線状であるので、釣針２０をかける際や外す際に、貫通孔１６の内面１６ｃに沿って針先２１を直線的に移動させることができ、釣針２０をかける際や外す際の操作が行い易い。
また、内面１６ｃや内面１６ｄに針先２１が当接したりこすれたりする頻度も少なくなり、針先２１がより一層傷つきにくい。
【００５１】
（第５実施形態）
図６を参照して本発明の第５実施形態について説明する。
本実施形態では、ハンドルノブ３０が軟質部材からなる略球状に形成されており、外周面の一部に貫通孔１７が形成されている。
【００５２】
貫通孔１７は、図６（ｂ）に示すように、その内面１７ｃ，１７ｄが内方から開口１７ａ，１７ｂに向けてそれぞれ湾曲状（ラッパ状）に広がっている。つまり、軸方向中央部分１７ｅを最小径部として、開口１７ａ，１７ｂに向けて拡径している。内面１７ｃの曲率半径は、内面１７ｄの曲率半径よりも大きくなっている。つまり、内面１７ｄは、内面１７ｃよりも湾曲しており、釣針２０のフトコロの湾曲状部２２を部分的に係止可能な大きさとなっている。
【００５３】
本実施形態によれば、ハンドルノブ３０が略球状である構成において、釣針２０をハンドルノブ３０の貫通孔１７を用いてかけることができる。
また、この場合にも、貫通孔１７に釣針２０をかける際に、広がっている開口１７ａ（または開口１７ｂ）を通じて針先２１を挿入することができるので、針先２１を挿入し易く、釣針２０をかけ易い。
【００５４】
また、前記第１実施形態で説明した軟質部材による作用効果に加えて、内面１７ｄに、釣針２０のフトコロの湾曲状部２２が部分的に係止される大きさであるので、挿入時に針先２１を大きく移動させる必要がなく、釣針２０をかける際や外す際の操作が行い易い。
【００５５】
（第６実施形態）
図７を参照して本発明の第６実施形態について説明する。
本実施形態では、ハンドルノブ４０に凹状部１９が形成されており、この凹状部１９に貫通孔１８が形成されている。
【００５６】
ハンドルノブ４０は、軟質部材からなる平面視で略Ｔ字形状に形成されており、図２（ｂ）に示すように、上面４０ａと下面４０ｂとの対向する二面間の厚みが薄く形成されており、指（例えば親指と人指し指）で摘み易い扁平状とされている。本実施形態では、ハンドルノブ４０の全体が扁平状となっている。
【００５７】
ハンドルノブ４０の延出端部には、上下に凹状に切り欠かれた形状の凹状部１９，１９が形成されており、貫通孔１８は、この凹状部１９内に設けられている。
凹状部１９，１９は同形状であるので、一方の上面４０ａ側の凹状部１９について説明すると、図７（ａ）に示すように、凹状部１９は、平面視で略Ｕ字形状を呈している。凹状部１９は、上面４０ａ側と前面４０ｃ側とが開口するように切り欠かれており、底部に、貫通孔１８が形成されている。
【００５８】
貫通孔１８は、図７（ｂ）に示すように、その内方から開口１８ａ，１８ｂに向けてそれぞれ湾曲状（ラッパ状）に広がっている。つまり、貫通孔１１は、貫通孔１１の軸方向中央部分１８ｅを最小径部として、開口１８ａ，１８ｂに向けて拡径している。
【００５９】
貫通孔１８は、Ｄ−Ｄ断面において、支軸９に近い側の内面１８ｃの曲率半径が支軸９から遠い側の内面１８ｄの曲率半径よりも大きくなっている。つまり、内面１８ｄは、内面１８ｃよりも湾曲しており、釣針２０のフトコロの湾曲状部２２を部分的にかけることのできる形状となっている。
なお、内面１８ｃは、凹状部１９の内壁１９ａに連続するように湾曲している。
【００６０】
本実施形態によれば、貫通孔１８が凹状部１９内に設けられているので、凹状である分、他の部分（上面４０ａ，下面４０ｂ間等）に設けられた場合に比べて貫通孔１８の長さが短くなり、貫通孔１８に釣針２０をかける際や貫通孔１８から釣針２０を外す際に針先２１を大きく移動させる必要がなく、操作が行い易い。
また、貫通孔１８の長さが短くなるので、釣針２０をかける際や外す際に、貫通孔１８の内面１８ｃ，１８ｄに針先２１が当接したりこすれたりする頻度が少なくなる。したがって、針先２１がより一層傷つきにくいという効果が得られる。また、貫通孔１８の長さが短くなるので、ハンドルノブ４０の厚みに対し、より小さい釣針２０をかけることも可能となる。
【００６１】
また、凹状部１９を形成する内面（内壁１９ａ）に沿わせるようにして針先２１を貫通孔１８に挿入することができるので、貫通孔１８に針先２１が導かれ易くなり、針先２１を挿入しやすい。
【００６２】
図７（ｃ）は、軟質部材からなる略球状のハンドルノブ５０（図７（ａ）において二点鎖線で図示）において、前記と同様に凹状部１９，１９を形成して、その底部に貫通孔１８を形成したものを示している。
【００６３】
同図に示すように、このような略球状のハンドルノブ５０においても、貫通孔１８が凹状部１９内に設けられているので、凹状部１９，１９を設けずに貫通孔１８を形成した場合に比べて貫通孔１８の長さが短くなり、貫通孔１８に釣針２０をかける際や貫通孔１８から釣針２０を外す際に針先２１を大きく移動させる必要がなく、操作が行い易い。
【００６４】
また、貫通孔１８の長さが短くなるので、釣針２０をかける際や外す際に、貫通孔１８の内面１８ｃ，１８ｄに針先２１が当接したりこすれたりする頻度が少なくなる。したがって、針先２１がより一層傷つきにくいという効果が得られる。
また、凹状部１９を形成する内面（内壁１９ａ）に沿わせるようにして針先２１を貫通孔１８に挿入することができ、針先２１を挿入しやすい。
【００６５】
なお、前記した凹状部１９，１９は、貫通孔１８の両側で異なる大きさ（深さ）としてもよい。また、凹状部１９は、貫通孔１８の片側にのみ設けてもよい。
また、図７（ｂ）（ｃ）において、内面１８ｃは、断面直線状に形成してもよい。
【００６６】
前記各実施形態において、釣針２０として、シングルフック（１本針）のものを示したが、ルアー釣りに用いられるダブルフック（２本針）やトリプルフック（トレブルフック、３本錨形の釣針）も、そのうちの１本の針を貫通孔１１等に好適にかけて係止することが可能である。
【符号の説明】
【００６７】
１      リール本体
７      ハンドル
８      アーム部
１０，３０，４０，５０    ハンドルノブ
１１，１２，１５Ａ，１６，１７，１８    貫通孔
１１ａ，１１ｂ    開口
１２ａ，１２ｂ    開口
１５ａ，１５ｂ    開口
１６ａ，１６ｂ    開口
１７ａ，１７ｂ    開口
１８ａ，１８ｂ    開口
１９    凹状部  
２０    釣針
２１    針先
【図１】
0005702743.tif 000002
【図２】
0005702743.tif 000003
【図３】
0005702743.tif 000004
【図４】
0005702743.tif 000005
【図５】
0005702743.tif 000006
【図６】
0005702743.tif 000007
【図７】
0005702743.tif 000008